(57)【特許請求の範囲】
【請求項１】
携帯用の一対の箸であって、各箸は所要長さを有する円筒状の箸上半体（１）と、これの内部に納められるテーパ状の箸下半体（２）と、円筒状箸上半体（１）の上端部（１ａ）に被せ止められる栓体（３）とよりなり、箸の使用時には、円筒状箸上半体（１）より箸下半体（２）が振り出されて、両者が一体に結合され、１本の長い箸が形成されるようになされている携帯用箸において、テーパ状箸下半体（２）の上端部（２ａ）に、円筒状箸上半体（１）の下端部（１ｂ）の内径より若干小さい外径を有する接続用径大部（４）が設けられ、接続用径大部（４）の外周面に右ねじまたは左ねじ方向の螺旋溝（５）が設けられ、螺旋溝（５）の底壁（６）の深さは、接続用径大部（４）下縁より下方に向かって開口した始端部（５ａ）から終端部（５ｂ）に至るほど漸次浅いものとなされ、円筒状箸上半体（１）の下端寄り部分の内面に、螺旋溝（５）に嵌まり合う内方凸起（１０）が設けられており、箸の使用時には、円筒状箸上半体（１）に対して箸下半体（２）が下方に振り出されて、円筒状箸上半体（１）の下端寄り部分の内方凸起（１０）が、箸下半体（２）上端部の接続用径大部（４）下縁の段部（４ａ）に当たり、ついで、箸上半体（１）および／または箸下半体（２）を右回りまたは左回りに回転させることにより、箸上半体（１）の内方凸起（１０）が螺旋溝（５）内にその始端部（５ａ）より入り込み、さらに、箸上半体（１）および／または箸下半体（２）を同方向に回転させることにより、内方凸起（１０）が螺旋溝（５）内を進んで、遂には内方凸起（１０）の先端が溝終端部（５ｂ）に近い底壁（６）に係り合って、箸上半体（１）と箸下半体（２）とが一体に結合され、箸の使用後には、箸上半体（１）および／または箸下半体（２）を上記とは逆方向に回転させることにより、内方凸起（１０）の先端と螺旋溝（５）の底壁（６）との係合が外れ、内方凸起（１０）が螺旋溝（５）内を上記とは逆方向に進んで、遂には内方凸起（１０）が溝始端部（５ａ）より出て、箸下半体（２）が円筒状箸上半体（１）の内部に納められるようになされていることを特徴とする、携帯用箸。
【発明の詳細な説明】
【技術分野】
【０００１】
本発明は、携帯用箸、さらに詳しくは、携帯の際には、箸の長さを短くすることができ、使用時には、通常の長い箸長とすることができて、携帯に非常に便利であり、しかも箸の長さを変えて、箸を伸縮させる操作を、非常に簡単に行なうことができるうえ、箸の使用時に、箸長が、いきなり短くなって縮んだりするトラブルを生じるようなことが全くない、非常に信頼性の高い、使い勝手の良い携帯用箸に関するものである。
【背景技術】
【０００２】
一般に、自宅で食事をする際には、自分専用の箸があり、箸の衛生管理をすることは容易であるが、外出先のレストランや食堂で食事をする際には、箸の衛生管理を自ら行なうことができず、このようなことから、レストランや食堂には、木製の割り箸を備えていることが多い。また、店頭で売られている弁当などにも木製の割り箸が付帯されている。従って、このような割り箸を使い捨てることにより、森林伐採が進み、自然が破壊されるという問題があった。
【０００３】
また、使用後の割り箸は、ゴミとして焼却処分されるため、それによって炭酸ガスの発生を招き、大気が汚染されるという問題があった。
【０００４】
このような従来の問題を解決する手段として、木製割り箸の使い捨てを少なくするため、レストランや食堂では、樹脂製の箸を繰り返し使用することが行なわれている。しかしながら、レストランや食堂において、見知らぬ多くの人が使用する箸を用いて食事をすることは、感覚としてあまり好ましくないという問題がある。
【０００５】
そこで、従来、個人がそれぞれ自分の箸を携帯するという考え方から、従来より各種の携帯用箸が提案されている。
【０００６】
下記の特許文献１に開示されている携帯用箸は、伸縮式であり、一対の箸のうちのそれぞれの箸が、長い筒状の箸上半部と、これの内部に収められかつ細い箸先端部を有する箸下半部と具備しており、箸の携帯時には、箸下半部が、長い筒状箸上半部内に収められ、箸の使用時には、箸下半部が筒状箸上半部より振り出されて、携帯用箸が、全体として長くなるようになされていた。
【０００７】
そして、筒状箸上半部の下端接続部の外周長さが短く、逆に、箸下半部の上端接続部の外周長さが長くなされているため、箸の使用時には、筒状箸上半部内において、箸下半部の上端接続部が、筒状箸上半部の下端接続部に引っ掛かり、両接続部は、互いに箸素材の摩擦によって止められているものであった。
【特許文献１】特開２００６−２７１９５４号公報
【発明の開示】
【発明が解決しようとする課題】
【０００８】
しかしながら、上記特許文献１に記載の従来の携帯用箸によれば、箸の使用時には、筒状箸上半部内において、箸下半部の上端接続部が、筒状箸上半部の下端接続部に引っ掛かり、両接続部は、単に箸素材の摩擦によって止められているだけであるため、箸の使用時に、例えば箸を下向きに強く押えると、箸素材の摩擦による係合が解け、箸下半部が、筒状箸上半部内に入り込んで、箸長が、いきなり短くなって縮んだりするトラブルを生じるおそれがあるという問題があった。
【０００９】
また、例えば食事の料理に含まれているオイルなどの摩擦を低減してしまう液体が、筒状箸上半部と箸下半部との接続部に滲み込んだような場合には、箸下半部の上端接続部を箸素材の摩擦によって止めることはできず、このため、信頼性に劣り、場合によっては、使い勝手が悪いという問題があった。
【００１０】
本発明の目的は、上記の従来技術の問題を解決し、携帯に非常に便利であり、しかも箸の長さを変えて、箸を伸縮させる操作を、非常に簡単に行なうことができるうえ、箸の使用時に、箸長が、いきなり短くなって縮んだりするトラブルを生じるようなことが全くない、非常に信頼性の高い、使い勝手の良い携帯用箸を提供しようとすることにある。
【課題を解決するための手段】
【００１１】
上記の目的を達成するために、本発明は、携帯用の一対の箸であって、各箸は所要長さを有する円筒状の箸上半体と、これの内部に納められるテーパ状の箸下半体と、円筒状箸上半体の上端部に被せ止められる栓体よりなり、箸の使用時には、円筒状箸上半体より箸下半体が振り出されて、両者が一体に結合され、１本の長い箸が形成されるようになされている携帯用箸において、テーパ状箸下半体の上端部に、円筒状箸上半体の下端部の内径より若干小さい外径を有する接続用径大部が設けられ、接続用径大部の外周面に右ねじまたは左ねじ方向の螺旋溝が設けられ、螺旋溝の底壁の深さは、接続用径大部下縁より下方に向かって開口した始端部から終端部に至るほど漸次浅いものとなされ、円筒状箸上半体の下端寄り部分の内面に、螺旋溝に嵌まり合う内方凸起が設けられており、箸の使用時には、円筒状箸上半体に対して箸下半体が下方に振り出されて、円筒状箸上半体の下端寄り部分の内方凸起が、箸下半体上端部の接続用径大部下縁の段部に当たり、ついで、箸上半体および／または箸下半体を右回りまたは左回りに回転させることにより、箸上半体の内方凸起が螺旋溝内にその始端部より入り込み、さらに、箸上半体および／または箸下半体を同方向に回転させることにより、内方凸起が螺旋溝内を進んで、遂には内方凸起の先端が溝終端部に近い底壁に係り合って、箸上半体と箸下半体とが一体に結合され、箸の使用後には、箸上半体および／または箸下半体を上記とは逆方向に回転させることにより、内方凸起の先端と螺旋溝の底壁との係合が外れ、内方凸起が螺旋溝内を上記とは逆方向に進んで、遂には内方凸起が溝始端部より出て、箸下半体が円筒状箸上半体の内部に納められるようになされていることを特徴としている。
【発明の効果】
【００１２】
本発明による携帯用箸は、各箸のテーパ状箸下半体の上端部に、円筒状箸上半体の下端部の内径より若干小さい外径を有する接続用径大部が設けられ、接続用径大部の外周面に右ねじまたは左ねじ方向の螺旋溝が設けられ、螺旋溝の底壁の深さは、接続用径大部下縁より下方に向かって開口した始端部から終端部に至るほど漸次浅いものとなされ、円筒状箸上半体の下端寄り部分の内面に、螺旋溝に嵌まり合う内方凸起が設けられており、箸の使用時には、円筒状箸上半体に対して箸下半体が下方に振り出されて、円筒状箸上半体の下端寄り部分の内方凸起が、箸下半体上端部の接続用径大部下縁の段部に当たり、ついで、箸上半体および／または箸下半体を右回りまたは左回りに回転させることにより、箸上半体の内方凸起が螺旋溝内にその始端部より入り込み、さらに、箸上半体および／または箸下半体を同方向に回転させることにより、内方凸起が螺旋溝内を進んで、遂には内方凸起の先端が溝終端部に近い底壁に係り合って、箸上半体と箸下半体とが一体に結合され、箸の使用後には、箸上半体および／または箸下半体を上記とは逆方向に回転させることにより、内方凸起の先端と螺旋溝の底壁との係合が外れ、内方凸起が螺旋溝内を上記とは逆方向に進んで、遂には内方凸起が溝始端部より出て、箸下半体が円筒状箸上半体の内部に納められるようになされているもので、本発明の携帯用箸によれば、携帯に非常に便利であり、しかも箸の長さを変えて、箸を伸縮させる操作を、非常に簡単に行なうことができるうえ、箸の使用時に、箸長が、いきなり短くなって縮んだりするトラブルを生じるようなことが全くない、非常に信頼性が高いものであるという効果を奏する。
【００１３】
また、本発明の携帯用箸は、円筒状箸上半体に対し、テーパ状の箸下半体を出入れする際に、箸下半体を、その自重によるゆったりと下降させることができ、このようなテーパ状箸下半体の出入れの操作は、非常に優雅でさえあり、携帯用箸の使用者にとって、楽しさを感じ、かつ満足のいくもので、非常に使い勝手の良いものであるという効果を奏する。
【発明を実施するための最良の形態】
【００１４】
つぎに、本発明の実施の形態を、図面を参照して説明するが、本発明はこれらに限定されるものではない。
【００１５】
この明細書において、上下は図５を基準とし、上とは図５の上側、下とは同下
側をいゝ、また左右は下方に向かっていうものとする。
【００１６】
なお、携帯用の一対の箸は、互いに同じ構造を有しているため、図面には、その一方の箸のみ図示されている。
【００１７】
図１は、本発明による携帯用箸の実施形態を示す斜視図である。図２は、本発明の携帯用箸の実施形態の円筒状箸上半体内部にテーパ状箸下半体が納められた状態を示す縦断面図である。
【００１８】
図１と図２を参照すると、携帯用の一対の箸は、例えばアルミニウム製であり、各箸は、所要長さを有する円筒状の箸上半体（１）と、これの内部に納められるテーパ状の箸下半体（２）と、円筒状箸上半体（１）の上端部（１ａ）に被せ止められる栓体（３）とよりなるものである。
【００１９】
まず、図１に示すように、円筒状の箸上半体（１）の上端部（１ａ）よりテーパ状の箸下半体（２）が、その先細端部（２ｂ）より挿入されて、円筒状箸上半体（１）内部に納められ、その後、円筒状の箸上半体（１）の上端部（１ａ）に栓体（３）が被せ止められている。
【００２０】
図２に示すように、本発明の携帯用箸は、円筒状箸上半体（１）の内部に箸下半体（２）が納められた状態で箸が携帯される。
【００２１】
本発明の携帯用箸のテーパ状箸下半体（２）の上端部（２ａ）には、円筒状箸上半体（１）の下端部（１ｂ）の内径より若干小さい外径を有する接続用径大部（４）が設けられ、接続用径大部（４）の外周面に右ねじ方向の螺旋溝（５）が設けられている。この螺旋溝（５）の底壁（６）の深さは、図７の展開図と、図８の展開断面図に示すように、接続用径大部（４）下縁より下方に向かって開口した始端部（５ａ）から終端部（５ｂ）に至るほど漸次浅いものとなされている。
【００２２】
一方、円筒状箸上半体（１）の下端寄り部分の内面に、螺旋溝（５）に嵌まり合う内方凸起（１０）が設けられている。また、円筒状箸上半体（１）の上端部（１ａ）の内面には、雌ねじ部（１１）が設けられている。
【００２３】
栓体（３）は、円筒状箸上半体（１）の上端部（１ａ）の外径と略同じ外径を有するとともに、栓体（３）の外周面には、ローレット部が設けられ、また栓体（３）は、箸上半体上端部（１ａ）内に差し込まれる差込み部（１３）を有していて、該差込み部（１３）に雄ねじ部（１４）が設けられている。
【００２４】
そして、円筒状箸上半体（１）上端部内面の雌ねじ部（１１）に、栓体（３）の差込み部（１３）の雄ねじ部（１４）がねじ込まれて、円筒状箸上半体（１）の上端部（１ａ）に栓体（３）が被せ止められている。
【００２５】
本発明による携帯用箸の使用時には、図２に示す円筒状箸上半体（１）の内部にテーパ状箸下半体（２）が納められた状態から、円筒状箸上半体（１）を例えば一方の手（右手）で持って、箸下半体（２）の先細端部（２ｂ）を下側に向ける。すると、図３に示すように、箸下半体（２）は、その自重により速やかに、かつ静かに下降し、箸下半体（２）上端部の接続用径大部（４）下縁の段部（４ａ）が、円筒状箸上半体（１）の下端寄り部分の内方凸起（１０）に当たる。
【００２６】
この場合の箸下半体（２）の下降速度は、比較的ゆるやかであり、本発明による携帯用箸を、例えばアルミニウム製とした場合、箸下半体（２）の下降開始から終了までには、約０．８秒かかる。
【００２７】
というのは、図２に示すように、円筒状箸上半体（１）の内部にテーパ状箸下半体（２）が納められた状態では、テーパ状箸下半体（２）上端と栓体（３）の差込み部（１３）先端との間には、空間部が存在していないため、箸下半体（２）が下降するにつれて大きく形成されるテーパ状箸下半体（２）上端と栓体（３）の差込み部（１３）先端との間の空間部は、いわゆる負圧となる。その圧力差を補うため、円筒状箸上半体（１）の内周面と、箸下半体（２）上端部の接続用径大部（４）との間のわずかな間隙から空気（外気）が流入する。従って、円筒状箸上半体（１）を例えば一方の手（右手）で持って、箸下半体（２）の先細端部（２ｂ）を下側に向けても、箸下半体（２）は、一気には落下しない。
【００２８】
つぎに、こうして、振り出された箸下半体（２）の先細端部（２ｂ）を他方の手（左手）で持つとともに、箸上半体（１）を、図４に示すように、上面よりみて左回りの方向（反時計回りの方向）にゆっくりと回すと、箸上半体（１）の内方凸起（１０）が螺旋溝（５）内にその始端部（５ａ）より入り込み、さらに、箸上半体（１）を同方向に回転させることにより、内方凸起（１０）が螺旋溝（５）内を進んで、遂には内方凸起（１０）の先端が溝終端部（５ｂ）に近い底壁（６）に圧接させられて係り合い、箸上半体（１）と箸下半体（２）とが一体に結合されて、１本の長い箸が形成されるものである。
【００２９】
なお、図５は、箸上半体（１）の内方凸起（１０）の先端が、箸下半体（２）の螺旋溝（５）の底壁（６）に係り合って、箸上半体（１）と箸下半体（２）とが１本に結合された箸の使用状態を示す要部拡大縦断面図である。図６は、図５における箸上半体（１）の内方凸起（１０）の先端が、箸下半体（２）の螺旋溝（５）の底壁（６）にに係り合っている部分を示す部分拡大縦断面図である。
【００３０】
図７は、箸下半体（２）の螺旋溝（５）の拡大展開図で、箸上半体（１）と箸下半体（２）とが一体に結合された際の箸上半体（１）の内方凸起（１０）の位置が一緒に示されている。図８は、図７のＡーＡ線に沿うもので、箸下半体（２）の螺旋溝（５）の拡大展開図である。
【００３１】
また、図９は、図５における箸上半体（１）の上端部（１ａ）に栓体（３）が取り付けられている部分を示す拡大縦断面図である。
【００３２】
そして、箸の使用後には、例えば箸上半体（１）を、上記とは逆方向（時計回りの方向）に回転させることにより、内方凸起（１０）の先端と螺旋溝（５）の底壁（６）との係合が外れ、内方凸起（１０）が螺旋溝（５）内を上記とは逆方向に進んで、遂には内方凸起（１０）が溝始端部（５ａ）より出る。
【００３３】
この状態から、今度は、円筒状箸上半体（１）に対し、箸下半体（２）を上方に向ける。すると、箸下半体（２）は、その自重により速やかに、かつ静かに下降して、円筒状箸上半体（１）の内部に入り込んで、図１に示す格納状態となるものである。この場合も、箸下半体（２）の下降速度は、比較的ゆるやかであり、本発明による携帯用箸を、例えばアルミニウム製とした場合、箸下半体（２）の下降開始から終了までには、約０．９秒かかる。
【００３４】
というのは、円筒状箸上半体（１）に対し、箸下半体（２）を上方に向けたときには、テーパ状箸下半体（２）側の接続用径大部（４）の先端と、円筒状箸上半体（１）側の栓体（３）の差込み部（１３）先端との間には、大きな空間部が存在しており、箸下半体（２）が下降する際には、この空間部内の空気を押圧しながら下降するために、箸下半体（２）は円筒状箸上半体（１）内を、一気には下降せず、空間部内の空気は箸下半体（２）によって押圧されて、円筒状箸上半体（１）の内周面と、箸下半体（２）上端部の接続用径大部（４）との間のわずかな間隙から外部に漸次流出し、最終的に、箸下半体（２）は、その自重により速やかに円筒状箸上半体（１）の内部に格納されるものである。
【００３５】
なお、箸上半体（１）と箸下半体（２）の回転は、相対的なものであるので、箸の使用時に、円筒状箸上半体（１）からテーパ状箸下半体（２）を振り出した状態で、箸上半体（１）の内方凸起（１０）を、箸下半体（２）の接続用径大部（４）の螺旋溝（５）内に入り込ませるには、箸上半体（１）および箸下半体（２）のうちの一方、または両方を、右回りまたは左回りに回転させればよい。
【００３６】
すなわち、図４に示すように、例えば右手で、一方の円筒状箸上半体（１）を、上面よりみて左回りの方向（反時計回りの方向）にゆっくりと回してもよいし、また左手で、他方のテーパ状箸下半体（２）を、上面よりみて右回りの方向（時計回りの方向）にゆっくりと回してもよい。あるいはまたこの両方の操作を右手と左手とで同時に行なってもよいものである。
【００３７】
また、同様に、箸の使用後には、箸上半体（１）および箸下半体（２）のうちのいずれか一方、または両方を、上記の場合とは逆方向に回転させることにより、内方凸起（１０）の先端と螺旋溝（５）の底壁（６）との係合が外れて、内方凸起（１０）が、螺旋溝（５）内を逆方向に進んで、遂には内方凸起（１０）が溝始端部（５ａ）より下方に出て、箸下半体（２）を円筒状箸上半体（１）の内部に納めることができる。
【００３８】
なお、上記の本発明の実施形態では、箸下半体（２）の接続用径大部（４）の螺旋溝（５）として、いわゆる右ねじの螺旋形状を有するものが図示されているが、螺旋溝（５）としては、いわゆる左ねじの螺旋形状を有するものであってもよく、その場合には、箸の使用時の円筒状箸上半体（１）に対する箸下半体（２）の引き出し操作において、箸上半体（１）および／または箸下半体（２）の回転方向は、上記実施形態の場合と逆方向にすればよい。
【００３９】
本発明の上記の実施形態では、例えば、円筒状の箸上半体（１）の長さは１１５ｍｍ、外径は８ｍｍ、肉厚は０．５ｍｍである。
【００４０】
一方、円筒状箸上半体（１）これの内部に納められるテーパ状の箸下半体（２）の長さは１０７ｍｍであり、これの上端部（２ａ）の接続用径大部（４）の外径は６．９ｍｍで、これは、円筒状箸上半体（１）の下端部（１ｂ）の内径より若干小さいものとなされている。接続用径大部（４）の長さ（高さ）は１０ｍｍである。
【００４１】
そして、この接続用径大部（４）の外周面に設けられた右ねじ方向の螺旋溝（５）の幅は、２ｍｍであり、接続用径大部（４）下端の段部（４ａ）において開口する溝始端部（５ａ）の幅は、接続用径大部（４）の周方向に、溝幅の２倍程度に広いものとなされており、従って、円筒状箸上半体（１）に対して箸下半体（２）が振り出された状態で、両者を引っ張りながら、その一方もしくは両方を回転させると、箸上半体（１）の内方凸起（１０）が、溝始端部（５ａ）より螺旋溝（５）の内部に簡単に入り込むことができる。
【００４２】
円筒状箸上半体（１）側の内方凸起（１０）の直径は１．２ｍｍで、円筒状箸上半体（１）の内面からの内方凸起（１０）の高さは、０．５ｍｍ程度である。この内方凸起（１０）は、円筒状箸上半体（１）の下端より６ｍｍの位置に、プレス成形により内方突出状に設けられている。
【００４３】
螺旋溝（５）の深さは、溝始端部（５ａ）においては内方凸起（１０）の高さよりも深く、内方凸起（１０）が螺旋溝（５）内に入り込み得る深さである。そして、螺旋溝（５）の深さは、螺旋溝の回転方向に従って次第に浅くなって、遂には溝終端部（５ｂ）において底壁（６）の深さがゼロとなされている。つまり、接続用径大部（４）の外周面と面一となされている。
【００４４】
なお、内方凸起（１０）の先端は、螺旋溝（５）の終端部（５ｂ）近くにおいて底壁（６）に圧接させられて係り合せられ、内方凸起（１０）が停止させられるものである。
【００４５】
また、円筒状箸上半体（１）の上端部に被せ止められる栓体（３）の外径は、円筒状箸上半体（１）の外径と同じく８ｍｍである。
【００４６】
なお、本発明の実施形態の携帯用箸についての上記のような寸法は、１つの例示であって、本発明による携帯用箸の寸法・大きさは、また、円筒状箸上半体（１）に対し、テーパ状箸下半体（２）が自重により下降して、出入れされる際の下降速度などは、上記のものに、もちろん限定されるものではない。
【００４７】
また、上記実施形態の本発明の携帯用箸を構成する円筒状箸上半体（１）は、例えば金属パイプを所要長さに切断して、円筒状箸上半体（１）の下端部（１ｂ）の内面に内方凸起（１０）を、プレス形成により内方突出状に設けることにより、製作することができる。そして、他方のテーパ状箸下半体（２）、これの上端部（２ａ）の接続用径大部（４）、および接続用径大部（４）の外周面の螺旋溝（５）は、例えばコンピュータ制御による金属切削加工により、非常に生産性よく、製作することができ、本発明の携帯用箸は、安価に市場に提供し得るものである。
【００４８】
なお、上記実施形態の本発明の携帯用箸は、アルミニウム製であるが、これは、その他の金属、あるいはまたプラスチック、木材、竹等の素材によりつくられていてもよいものである。
【００４９】
また、円筒状箸上半体（１）の上端部（１ａ）に被せ止められる栓体（３）の構造は、上記実施形態のものに、もちろん限定されるものではない。
【００５０】
このように、本発明の携帯用箸によれば、携帯に非常に便利であり、しかも箸の長さを変えて、箸を伸縮させる操作を、非常に簡単に行なうことができる。
【００５１】
また、例えば箸の使用時に、箸のテーパ状箸下半体（２）の先細端部が、料理皿（図示略）に突き当たって、図５と図６に示すように、箸下半体（２）に、これを円筒状箸上半体（１）の内部に押し込むような矢印（イ）方向の力が作用した場合にも、内方凸起（１０）は、螺旋溝（５）の下側壁部（７）に当たって係合するために、箸下半体（２）が円筒状箸上半体（１）の内部に押し込まれるようなことがなく、従って、箸長が、いきなり短くなって縮んだりするトラブルを生じるようなことが全くないものであり、非常に信頼性の高い。
【００５２】
また、く、使い勝手が良いものである。
【００５３】
そして、本発明による携帯用箸の使用時には、円筒状箸上半体（１）の内部にテーパ状箸下半体（２）が納められた状態から、円筒状箸上半体（１）を例えば一方の手（右手）で持って、箸下半体（２）の先細端部（２ｂ）を下側に向ける。すると、箸下半体（２）は、その自重により速やかに、かつ静かに下降し、箸下半体（２）が振り出される。つぎに、この状態で、箸上半体（１）を、例えば左回りの方向にゆっくりと回して、箸上半体（１）の内方凸起（１０）を螺旋溝（５）内に入り込ませて、内方凸起（１０）の先端を溝終端部（５ｂ）に近い底壁（６）に圧接させて係り合わせ、箸上半体（１）と箸下半体（２）とが一体に結合された１本の長い箸とする。
【００５４】
また、箸の使用後には、まず箸上半体（１）を、上記とは逆方向（時計回りの方向）に回転させることにより、内方凸起（１０）の先端と螺旋溝（５）の底壁（６）との係合が外れ、内方凸起（１０）が螺旋溝（５）内を上記とは逆方向に進んで、遂には内方凸起（１０）が溝始端部（５ａ）より出る。
【００５５】
つぎに、この状態から、今度は、円筒状箸上半体（１）に対し、箸下半体（２）を上方に向けるだけでよい。これにより、箸下半体（２）は、その自重により速やかに、かつ静かに下降して、円筒状箸上半体（１）の内部に入り込んで、格納状態となるものである。この場合も、箸下半体（２）の下降速度は、比較的ゆるやかである。
【００５６】
このように、本発明の携帯用箸は、円筒状箸上半体（１）に対し、箸下半体（２）を出入れする際の、箸下半体（２）の自重による下降は、ゆったりとしていて、非常に優雅でさえあり、携帯用箸の使用者にとって、楽しさを感じ、かつ満足のいくもので、非常に使い勝手の良いものである。
【００５７】
さらに、本発明の携帯用箸によれば、例えば食事の料理に含まれているオイルなどの摩擦を低減してしまうような液体が、箸上半体（１）と箸下半体（２）との結合部分（接続部）に入り込んだような場合でも、箸上半体（１）に対し、箸下半体（２）がその内部に入り込んでしまうようなことが全くないものである。
【００５８】
というのは、上記のように、箸下半体（２）に、これを円筒状箸上半体（１）の内部に押し込むような図５と図６に示す矢印（イ）方向の力が作用した場合にも、内方凸起（１０）は、その停止箇所近傍の螺旋溝（５）の下側壁部（７）に当たって係合するために、箸下半体（２）が円筒状箸上半体（１）の内部に押し込まれるようなことがなく、従って、オイルなどの摩擦を低減してしまうような液体が、箸上半体（１）と箸下半体（２）との結合部分（接続部）に入り込んだような場合でも、箸長が、いきなり短くなって縮んだりするトラブルを生じるようなことがないものである。
【００５９】
これに対し、従来の携帯用箸によれば、箸の使用時には、箸下半部の上端接続部と、筒状箸上半部の下端接続部とは、単に箸素材の摩擦によって止められているだけであるため、例えば箸下半部の先細端部が、料理皿などに突き当たって、箸下半部に、これを円筒状箸上半部の内部に押し込むような力が作用すると、箸素材の摩擦による係合が解け、箸下半部が、筒状箸上半部内に入り込んで、箸長が、いきなり短くなって縮んだりするトラブルを生じるおそれがある。
【００６０】
また、従来の携帯用箸によれば、例えば食事の料理に含まれているオイルなどの摩擦を低減してしまう液体が、筒状箸上半部と箸下半部との接続部に滲み込んだような場合には、箸下半部の上端接続部を箸素材の摩擦によって止めることはできず、このため、使い勝手が悪いものであった。
【図面の簡単な説明】
【００６１】
【図１】本発明の携帯用箸の実施形態を示す分解斜視図である。
【図２】本発明の携帯用箸の実施形態の円筒状箸上半体内部にテーパ状箸下半体が納められた状態を示す縦断面図である。
【図３】本発明の携帯用箸の実施形態の円筒状箸上半体の内部からテーパ状箸下半体を振り出した始め段階の状態を示す斜視図である。
【図４】同斜視図で、円筒状箸上半体の内部からテーパ状箸下半体を振り出した最終段階において、箸上半体を左回りに回転させる状態を示している。
【図５】本発明の携帯用箸の実施形態の箸上半体の内方凸起の先端が、箸下半体の螺旋溝の底壁に係り合って、箸上半体と箸下半体とが１本に結合された箸の使用状態を示す要部拡大縦断面図である。
【図６】図５における箸上半体の内方凸起の先端が箸下半体の螺旋溝の底壁に係り合っている部分を示す部分拡大縦断面図である。
【図７】箸下半体の螺旋溝の拡大展開図で、箸上半体と箸下半体とが１本に結合された際の箸上半体の内方凸起の位置が一緒に示されている。
【図８】図７のＡーＡ線に沿う拡大縦断面図である。
【図９】図５における箸上半体の上端部に栓体が取り付けられている部分を示す拡大縦断面図である。
【符号の説明】
【００６２】
１：円筒状箸上半体
１ａ：上端部
１ｂ：下端部
２：テーパ状箸下半体
２ａ：上端部
２ｂ：先細端部
３：栓体
４：接続用径大部
４ａ：段部
５：螺旋溝
５ａ：溝始端部
５ｂ：溝終端部
６：底壁
７：下側壁部
１０：内方凸起
【図１】
0005216374.tif 000002
【図２】
0005216374.tif 000003
【図３】
0005216374.tif 000004
【図４】
0005216374.tif 000005
【図５】
0005216374.tif 000006
【図６】
0005216374.tif 000007
【図７】
0005216374.tif 000008
【図８】
0005216374.tif 000009
【図９】
0005216374.tif 000010